(57)【要約】  【課題】設備コストやランニングコストを有効に削減しつつ好適に開閉動作を行い得る展示ケースの開閉構造を提供する。  【解決手段】展示ケースＡの展示スペースＳの前面を覆う複数の透明板１と、透明板１を面方向に沿ってスライド移動可能に支持するフレーム２とを有し、複数の透明板１を面一に配置した閉止状態（Ｃ）から透明板１をスライド移動可能に配置した開閉可能状態（Ｏ）とし得るものであって、フレーム２の一端部において当該フレームの回転動作を許容して支持する回動支持機構Ｘと、他端部においてフレーム２を前後動作可能に支持する進退支持機構Ｙとフレームの他端部を前後動作させる駆動機構４とを具備することを特徴とする開閉構造Ｚである。  【選択図】図２
2007138489.tif 000002
【特許請求の範囲】
【請求項１】
展示物を展示するための展示ケースに用いるものであり、展示スペースの前面を覆う複数の透明板と、当該複数の透明板のうち何れかの透明板を面方向に沿ってスライド移動移動可能に支持するフレームとを有し、前記複数の透明板を面一に配置した閉止状態から前記何れかの透明板をスライド移動可能に配置した開閉可能状態とし得るものであって、
前記フレームの一端部において当該フレームの回転動作を許容して支持する回動支持機構と、他端部において前記フレームを前後動作可能に支持する進退支持機構と、前記フレームの他端部を前後動作させる駆動機構とを具備することを特徴とする展示ケースの開閉構造。
【請求項２】
前記回動支持機構を、フレーム及びフレームを支持する支持体の何れか一方及び他方に設けた回動軸及び軸受けを有するものとしている請求項１記載の展示ケースの開閉構造。
【請求項３】
前記回動支持機構を、フレーム及びフレームを支持する支持体に亘って取り付けた蝶番によってフレームと支持体とを蝶着支持するものとしている請求項１記載の展示ケースの開閉構造。
【請求項４】
前記回動支持機構を、フレームを支持する支持体に設けたフレームの回動動作を含む遊動動作を許容する遊動支持部とフレームの支持体からの脱落を禁止する脱落防止部とを有するものとしている請求項１記載の展示ケースの開閉構造。
【請求項５】
前記駆動機構を、前記駆動機構による駆動力に反する逆駆動力を抑止する自己保持機能を有するものとしている請求項１、２、３又は４記載の展示ケースの開閉構造。
【請求項６】
前記透明板の上端縁及び下端縁にレールを有する枠体を設けるとともに、前記フレームに前記レールを支持するレール支持部を設け、当該レール支持部に対して前記レールを摺動させることによって、前記透明板を前記フレームに対してスライド可能に支持するものとしている展示ケースの開閉構造。
【請求項７】
前記フレームの一端部及び他端部に、前記回動支持機構として機能する回転可能位置と前記進退支持機構として機能する進退可能位置とを選択的に取り得る回動進退部材を設けるとともに、
前記一端部を前記回動支持機構として機能させ且つ前記他端部を前記進退支持機構として機能させる他端部開放状態と、前記一端部を前記進退支持機構として機能させ且つ前記他端部を前記回動支持機構として機能させる一端部開放状態とを切り換え得る動作切換手段を設けている請求項１、２、３、４、５又は６記載の展示ケースの開閉構造。
【請求項８】
前記駆動機構を、前記フレームの幅方向中央部を付勢するものとしている請求項７記載の展示ケースの開閉構造。
【発明の詳細な説明】
【技術分野】
【０００１】
本発明は、展示ケースを構成している透明板を好適に開閉する構造に関するものである。
【背景技術】
【０００２】
従来、美術館や博物館に設置されている展示ケースを開閉する目的で、面一に配置された複数の透明板のうち、所定の透明板を支持しているフレーム毎を前方に迫り出させた開閉可能状態とし、当該開閉可能状態においてフレームに対して透明板を面方向にスライド移動させることによって、展示ケースに開口を設けるといった展示ケースの開閉構造が提案されている（例えば、特許文献1参照）。
【０００３】
同文献１に記載のものは、透明板の上縁並びに下縁をそれぞれ支持しているフレームを前後動作させることができる進退支持機構を幅方向両端部に計４箇所に設け、これらの進退支持機構をそれぞれ同期させて動作させることによって、透明板全体を前方へ迫り出させているものである。
【特許文献１】特許登録第３７０７６８７号公報
【発明の開示】
【発明が解決しようとする課題】
【０００４】
しかしながら、同文献に記載のものは、上述の通り透明板の上下両端部に４つの進退支持機構を設けなければならず、当該進退支持機構を構成する部品点数や駆動機構を動作させるために要する動作力は大きいものとなる。また進退支持機構を取り付けるための費用すなわち設備コストや、維持費用すなわちランニングコストもいきおい嵩んでしまうものとなる。さらに透明板を迫り出させた開閉可能状態とした際には進退支持機構が透明板の重量を全て支えなければならず、それぞれの進退支持機構に必要とされる強度並びに負担も大きいものとなってしまう。
【０００５】
本発明は、このような不具合に着目したものであり、設備コストやランニングコストを有効に削減しつつ好適に開閉動作を行い得る展示ケースの開閉構造を提供する。
【課題を解決するための手段】
【０００６】
本発明は、このような目的を達成するために、次のような手段を講じたものである。すなわち、本発明に係る展示ケースの開閉構造は、展示物を展示するための展示ケースに用いるものであり、展示スペースの前面を覆う複数の透明板と、当該複数の透明板のうち何れかの透明板を面方向に沿ってスライド移動移動可能に支持するフレームとを有し、前記複数の透明板を面一に配置した閉止状態から前記何れかの透明板をスライド移動可能に配置した開閉可能状態とし得るものであって、前記フレームの一端部において当該フレームの回転動作を許容して支持する回動支持機構と、他端部において前記フレームを前後動作可能に支持する進退支持機構とを具備することを特徴とする。
【０００７】
このようなものであれば、フレームを大きく動作させるための構造をフレームの他端側のみに設ければ良いため、例えばフレームを前後動作させる駆動力を付与する駆動機構を、実質的に透明板の他端側のみに設ければよいため、従来の開閉構造の比べて駆動機構を少なく構成して、展示ケースを構成する部品点数の削減並びに開閉動作に係る動力の省力化を実現し得るものとなる。
【０００８】
回動支持機構を構成する具体的な構造としては種々挙げることができるが、第一に、回動支持機構を、フレーム及びフレームを支持する支持体の何れか一方及び他方に設けた回動軸及び軸受けを有するものを挙げることができる。また第２に、回動支持機構を、フレーム及びフレームを支持する支持体に亘って取り付けた蝶番によってフレームと支持体とを蝶着支持するものを挙げることができる。そして、第３の構成として、回動支持機構を、フレームを支持する支持体に設けたフレームの回動動作を含む遊動動作を許容する遊動支持部とフレームの支持体からの脱落を禁止する脱落防止部とを有するものとしてもよい。
【０００９】
また、駆動機構を動作させて開閉可能状態とした際に不意に逆駆動力が働いてしまった場合でもフレームが逆方向へ動いてしまうことを有効に回避するためには、駆動機構に、駆動方向に反する逆駆動力を抑止する自己保持機能を設けたものとすればよい。
【００１０】
フレームに対して透明板を好適にスライド動作させるためには、前記透明板の上端縁及び下端縁にレールを有する枠体を設けるとともに、フレームにレールを支持するレール支持部を設け、当該レール支持部に対してレールを摺動させることによって、透明板を前記フレームに対してスライド可能に支持するものとすることが望ましい。
【００１１】
加えて、上述の構成を利用することにより、透明板を幅方向のうち両方向に選択的に移動し得る具体的な構成として、フレームの一端部及び他端部に、回動支持機構として機能する回転可能位置と進退支持機構として機能する可能位置とを選択的に取り得る回動進退部材を設けるとともに、一端部を回動支持機構として機能させ且つ他端部を進退支持機構として機能させる他端部開放状態と、一端部を進退支持機構として機能させ且つ他端部を回動支持機構として機能させる一端部開放状態とを切り換え得る動作切換手段を設ける態様を挙げることができる。
【００１２】
斯かる構成において、駆動機構を平面視一箇所に設けた場合、駆動機構を、フレームの幅方向中央部を付勢するものとすれば、一端部及び他端部のどちらに対しても同様の負荷を掛けて進退動作させることができる。
【発明の効果】
【００１３】
本発明によれば、フレームを前後動作させる駆動力を付与する駆動機構を、実質的に透明板の他端側のみに設ける構成とすることができる。そうすることにより、従来の開閉構造の比べて駆動機構を少なく構成して、展示ケースを構成する部品点数の削減並びに開閉動作に係る動力の省力化を実現し得るものとなる。
【発明を実施するための最良の形態】
【００１４】
以下、本発明の一実施の形態について図面を参照して説明する。
【００１５】
本実施形態に係る展示ケースＡ１は、図１、図２及び図３に示すように、例えば美術館、博物館等の室内において設置されるもので、前面をそれぞれ面一に配置されている複数の透明板１に覆われた展示スペースＳ内に種々の展示物を展示しておくことができるものである。本実施形態ではコーナー部ＡＣを有する平面視Ｌ字形の展示ケースＡと、平面視直線形状の展示ケースＡ１とを配置した態様を示している。
【００１６】
これら展示ケースＡ１は、図２に示すように、上述の通り前面を複数の透明板１で覆われた展示スペースＳを主に構成するものである。また、展示スペースＳの内部には、床Ｆ、天井Ｔ、壁Ｗそして床Ｆ並びに天井Ｔの手前側にそれぞれ上照明ＵＬ及び下照明ＤＬを設けている。
【００１７】
ここで、本実施形態に係る展示ケースＡの開閉構造Ｚは、図３に示すように、展示物を展示するための展示ケースＡに用いるものであり、展示スペースＳの前面を覆う複数の透明板１と、当該複数の透明板１のうち何れかの透明板１を面方向に沿ってスライド移動可能に支持するフレーム２とを有し、前記複数の透明板１を面一に配置した閉止状態（Ｃ）から、前記何れかの透明板１をスライド移動可能に配置した開閉可能状態（Ｏ）とし得るものである。そして、フレーム２の一端部２ａにおいて当該フレーム２の回転動作を許容して支持する回動支持機構Ｐと、他端部２ｂにおいて前記フレーム２を前後動作可能に支持する進退支持機構Ｑと、フレーム２のフレーム２の他端部２ｂを前後動作させる駆動機構Ｒとを具備することを特徴としている。
【００１８】
以下、展示ケースＡを例にとって、当該展示ケースＡの開閉構造Ｚ、すなわち透明板１を開閉するための開閉構造Ｚについて、図４〜図１０を参照して具体的に説明する。
【００１９】
展示ケースＡは、上述の通りコーナー部ＡＣを有しており、当該コーナー部ＡＣを構成する２枚の透明板１は、図３に示すように、どちらも回動し得るように構成している。また展示スペースＳは、図２に示すように、前面に配置された透明板１と、透明板１を支持しているフレーム２と、フレーム２を支持している支持体３とによって主に構成している。なお、コーナー部ＡＣにおける２枚の透明板１の間には図示しない若干寸法の目地を設けている。
【００２０】
透明板１は、図２、図４及び図５に示すように、例えば高さ寸法約２７０センチ、幅寸法約１６０センチといった大きさを有するガラス製のガラス板１０を主体とし、このガラス板１０の上下端、すなわち透明板１の上端縁１ａ及び下端縁１ｂには、枠体１１をそれぞれ取り付けている。枠体１１は、例えばアルミの押出しにより形成されたものであり、ガラス板１０の上下端縁１ｂに沿って、すなわち長手方向に沿ってレール１１ｒがそれぞれ形成されている。ここで本実施形態ではレール１１ｒを枠体１１に対して一体に形成したものとしたが、レール１１ｒは枠体１１とは別体の構成としてもよい。また、本実施形態では枠体１１がガラス板１０の裏面側から取り付けた態様を例示したが、枠体１１は、例えばガラス板１０の上下端を覆う形状をなしたものであってもよい。
【００２１】
フレーム２は、図４、５、及び図８に示すように、枠体１１に略沿って設けられたフレーム本体２０を主体としているものである。加えて、フレーム２の一端部２ａに形成された軸受け２１と、フレーム２の他端部２ｂに設けた結合部２２と、複数の転動体２３０からなるレール支持部２３とによって構成されている。
【００２２】
軸受け２１は、具体的には、図８に示すように支持体３側の回動軸３１に対して軸着されるものであり、本実施形態フレーム２の一端部２ａにおいてフレーム本体２０に対して一体に成形して設けているが、勿論フレーム本体２０に対して別体の軸受け２１を別途取り付ける態様としても良い。
【００２３】
結合部２２は、図５及び図８等に示すように、フレーム２の他端部２ｂにおいてフレーム本体２０の後面側から取り付ける結合部材２２０を主体としている。結合部材２２０は前側にフレーム本体２０に取り付ける取付面２２１と、後側に後述する案内板３２０に設けた案内溝３２０ａに対して回動可能に結合される結合軸２２０ａとを有するものである。
【００２４】
支持部２３は、フレーム本体２０の前側に長手方向等間隔に配置された転動体２３０を有するものである。この転動体２３０は先端側の外周面が例えば回動軸３１に対して複数のベアリングを介して回転可能に支持され、この回転可能な外周面においてレール１１ｒに接し得るように構成することによって、レール１１ｒに対する摩擦が最小限に抑え得るように構成しているものである。
【００２５】
そして図４に特に示すように、上述した枠体１１のレール１１ｒ内にフレーム２側の転動体２３０を差し込んだ構成とし、転動体２３０の一部を前記レール１１ｒ内において回転させながらスライドさせることによって、枠体１１がフレーム２に沿って好適にスライド移動し得るように構成している。
【００２６】
支持体３は、フレーム２の一端部２ａを支持するための回動軸３１と、フレーム２の他端部２ｂを支持する案内部３２並びに案内部支持体３３とを有している。
【００２７】
回動軸３１は、フレーム２に設けた軸受け２１を軸着するものである。そして、上述したフレーム２側の軸受とこの回動軸３１とによって、本発明に係る回動支持機構Ｐを構成している。
【００２８】
案内部３２は、図５、図６及び図７に示すように、下方を案内部支持体３３に支持された状態でフレーム２の他端部２ｂを支持する役割を担っている。また併せて、後述するシリンダ部４によって横方向に往復移動することによって、フレーム２の他端部２ｂを前後動作させ得る役割を担っている。具体的には、案内部３２は案内板３２０と、案内板３２０の下面側両側に取り付けられた一対のスライダ３２１とを有している。そして案内板３２０には屈曲線状の長穴である案内溝３２０ａを設けている。案内溝３２０ａは傾斜方向に延びる傾斜溝３２０ａ１を主体とし、当該傾斜溝３２０ａ１の両端部分に平行溝３２０ａ２を設けた構成となっている。なおこの平行溝３２０ａ２は後述する自己保持機能Ｖを構成するものであるが、当該自己保持機能Ｖの態様については後に詳述する。そして案内溝３２０ａには上述した結合軸２２０ａを、案内溝３２０ａ内を摺動し得る状態且つ案内板３２０に対して若干角度回転可能に結合している。一方案内板３２０の後側には、後述するシリンダ部４を構成する油圧シリンダ４１とガススプリング４２とに対して連結している。
【００２９】
案内部支持体３３は、図５、図６及び図７に示すように、上述したスライダ３２１を横方向に移動可能に支持するスライダ台３３１を、下方に対して例えば強固にビス止めされた台板３３２が固定支持するものである。
【００３０】
シリンダ部４は、図５、図６及び図７に示すように、上述した台板３３２に固定され且つ案内板３２０に接続している油圧シリンダ４１と、ガススプリング４２とを主に有している。油圧シリンダ４１は図示しないポンプ等により油圧が掛けられることによって伸長し、案内板３２０を図７に示す位置から図６に示す位置まで付勢し得るものである。ガススプリング４２は油圧シリンダ４１の伸長によって圧縮されながら弾性反発力を蓄積することにより、当該弾性反発力によって案合板を図６に示す位置から図7に示す位置へ移動させ得るものである。
【００３１】
しかして本実施形態に係る展示ケースＡの開閉構造Ｚは、フレーム２の一端部２ａを回動可能に支持する回動支持機構Ｐと、フレーム２の他端部２ｂを前後動作可能に支持する進退支持機構Ｑと、他端部２ｂを進退動作させ得る駆動機構Ｒとを、上述した透明板１、スライダ３２１、支持体３及びシリンダ部４とによって実現しているものである。
【００３２】
回動支持機構Ｐは、図８に示すように、支持体３側に設けた回動軸３１と、フレーム２の一端部２ａに設けた軸受け２１とによって構成している。
【００３３】
進退支持機構Ｑは、支持体３における案内部３２と、当該案内部３２を支持する案内部支持体３３と、案内部３２の案内溝３２０ａに結合する結合部２２とによって構成している。
【００３４】
駆動機構Ｒは、本実施形態においてシリンダ部４と、シリンダ部４によって動作する案内板３２０と、案内板３２０に設けた案内溝３２０ａに沿って前後動作する結合部２２とによって構成している。ここで、駆動機構Ｒの構成は上述の通り油圧シリンダ４１及びガススプリング４２を用いたものに限られることはなく、例えば電動モータ等を採用して駆動機構Ｒを構成しても良い。
【００３５】
以下、本実施形態に係る開閉構造Ｚによって展示ケースＡを開閉可能状態（Ｏ）とし得る態様を図８〜図１０を参照して説明する。
【００３６】
まず、図８に示す閉止状態（Ｃ）からシリンダ部４によって案内板３２０を図示左方向へ移動させると、結合部２２の移動する前後方向の仮想移動線に対応する案内溝３２０ａの位置、すなわち結合軸２２０ａの位置は傾斜溝３２０ａ１に沿って前方へ移動することとなる。厳密にいえば結合軸２２０ａが回動軸３１を軸とした円周にそった動作をもって前方への移動を行う。このときフレーム２の一端部２ａでは軸受け２１が回動軸３１に対して回動することとなり図９に示す開閉可能状態（Ｏ）となる。そして当該開閉可能状態（Ｏ）から図１０に示すように透明板１をスライドさせることによって、隣接する透明板１との間隔を離間させ、展示スペースＳに開口を設けて、例えば中の展示物等の設置や撤収の作業を行うことができる。
【００３７】
一方図９に示す開閉可能状態（Ｏ）においてシリンダ部４を図８の方向へ移動させると、具体的には図６に示す油圧シリンダ４１の駆動を解除すると、今度はガススプリング４２の反発力によって案内板３２０が移動し、それに伴って傾斜溝３２０ａ１の位置が結合部２２に対して相対的に後方へ移動することにより、図８に示す閉止状態（Ｃ）へと戻すことができる。なお、閉止状態（Ｃ）並びに開閉可能状態（Ｏ）において、結合部２２は案内溝３２０ａの両端に位置する平行溝３２０ａ２に位置した状態となる。そのとき、結合部２２が透明板１側から駆動力とは逆の力が付勢されることとなっても、結合部２２の移動方向は平行溝３２０ａ２の延びる方向と直交することとなるため、案内板３２０が逆駆動されることなく、安定して閉止状態（Ｃ）並びに開閉可能状態（Ｏ）が維持されることとなる。すなわち換言すれば、進退支持機構Ｑは、平行溝３２０ａ２によって、面一状態並びに開閉可能状態（Ｏ）において、それぞれ自己保持機能Ｖを有しているということとなる。
【００３８】
以上のような構成とすることにより、本実施形態に係る展示ケースＡ１の開閉構造Ｚは、回動支持機構Ｐと、進退支持機構Ｑとを具備することにより、フレーム２を大きく動作させるための構造をフレーム２の他端側のみに設ければ良いため、例えばフレーム２を前後動作させる駆動力を付与する駆動機構Ｒを、実質的に透明板１の他端側のみに設ければよいため、従来の開閉構造Ｚの比べて駆動機構Ｒを少なく構成して、展示ケースＡ１を構成する部品点数の削減並びに開閉動作に係る動力の省力化を実現し得るものとなる。また本実施形態では、図１０に示すように、透明板１を斜め方向にスライドさせて引き出す構成としているので、引き出す方向の反対側が支持体３側に位置することとなり、透明板１に対する図示しない脱落防止機構を支持体３を利用するなどして配置し易いものとなっている。また、透明板１がフレーム２に対して移動する基端位置の位置決めも支持体３を利用して行い易くなっている。
【００３９】
また、図３に示すように展示ケースＡのコーナー部ＡＣにおいても適用することができるため、展示ケースＡの任意の箇所に開口部を構成することができる。
【００４０】
そして、回動軸３１及び軸受け２１によってフレーム２を軸支する態様を用いて回動支持機構Ｐを一端側に設けることによって、他端部２ｂは前後動作、正確には円弧に沿った略前後動作をさせることができるため、他端部２ｂを前後方向に正確に動作させる格別の機構を設けることを有効に排除して、進退支持機構Ｑの簡略化に寄与するものとなっている。
【００４１】
さらに、案内溝３２０ａに形成した平行溝３２０ａ２によって進退支持機構Ｑにいわゆる自己保持機能Ｖを付与した構成としているため、駆動機構Ｒを動作させて開閉可能状態（Ｏ）とした際に不意に逆駆動力が働いてしまうことを有効に回避することができる。そうすることにより、開閉可能状態（Ｏ）において安定して透明板１をフレーム２に対してスライドさせることができる。
【００４２】
また、フレーム２にレール支持部２３を設け、レール支持部２３が、詳細には複数の転動体２３０が、枠体１１のレール１１ｒ内を摺動する構成としている。すなわち、フレーム２が転動体２３０にスライド可能に支持されることによって、フレーム２に対して透明板１を好適にスライド動作させる構成している。
【００４３】
以上、本発明の実施形態について説明したが、各部の具体的な構成は、上述した実施形態のみに限定されるものではなく、本発明の趣旨を逸脱しない範囲で種々変形が可能である。
【００４４】
例えば、図１１に示すように、回動支持機構Ｐ１の構成として、支持体３とフレーム２とを蝶番Ｈによって蝶着する態様を適用しても良い。同図には支持体３に設けた蝶着部３ａと、フレーム２の一端部２ａとを蝶番Ｈによって蝶着した態様を示している。このようにフレーム２を蝶着する態様を用いて回動支持機構Ｐを一端側に設けることによって、上記実施形態と同様に、他端部２ｂは前後方向の動作、正確には円弧に沿った略前後動作をさせることができるため、他端部２ｂを前後方向に正確に動作させる格別の機構を設けることを有効に排除して、進退支持機構Ｑの簡略化に寄与するものとなっている。
【００４５】
また例えば、図１２に示すように、支持体３側に遊動支持部３ａ1と脱落防止部３ａ２とを設け、他端部２ｂの進退支持機構Ｑの動作に応じて一端部２ａが略回動する態様としても良い。同図には、支持体３側にフレーム２の一端部２ａを下方から支持する遊動支持部３ａ1と、遊動支持部３ａ1から平面視コの字状に起立させた壁状の脱落防止部３ａ２とを設けている。この脱落防止部３ａ２によってフレーム２の一端部２ａが移動し得る範囲が限定されることにより、図示しない進退支持機構Ｑによってフレーム２の他端部２ｂが移動する際に、フレーム２に略回動中心としての動作をさせることができる。このような回動支持機構Ｐ２であればフレーム２を支持する機構を単純な構成とすることができるので、展示ケースＡ自体の強度を向上させやすいものとすることができる。また、斯かる回動支持機構Ｐ２を採用した場合には、フレーム２の他端部２ｂを進退方向に移動させ得る構造が付与されている必要があるが、例えば上述の特許文献１に記載した構成をそのまま好適に流用することができる。このとき、フレーム２の一端部２ａは軸心が遊動する構成としているので、進退支持機構Ｑと回動支持機構Ｐ２との動作範囲が互いに干渉するといったことを有効に回避し得るものとなる。
【００４６】
また、本発明は透明板を一方の方向にのみ移動させ得る構成に限定されるものではない。
【００４７】
続いて、本発明の第二実施形態に係る展示ケースＡの開閉構造Ｚ２について、図１３、図１４及び図１５を用いて詳述する。
【００４８】
なお本実施形態に係る構成は、特に記載したものを除いて上記第一実施形態と同様の作用を指すものについては同一の符号を用い、その詳細な説明を省略するものとする。
【００４９】
ここで、本実施形態に係る開閉構造Ｚ２は、フレーム２の一端部２ａ及び他端部２ｂに、回動支持機構Ｐ及び進退支持機構Ｑとしての機能を選択的になし得る回動進退部材５ａ、５ｂを設けるとともに、一端部２ａを回動支持機構Ｐとして機能させ且つ他端部２ｂを進退支持機構Ｑとして機能させる他端部開放状態Ｘ１と、前記一端部２ａを進退支持機構Ｑとして機能させ且つ他端部２ｂを回動支持機構Ｐとして機能させる一端部開放状態Ｘ２とを切り換え得る動作切換手段Ｘを設けているものとしている。
【００５０】
フレーム２は、上述の通り基本的には上記第一実施形態と同様の構成を有しているが、一端部２ａ及び他端部２ｂにおいては回動軸２０１ａ、２０１ｂを突出させて設けている。当該回動軸２０１ａ、２０１ｂは、後述する移動軸受け５１ａ、５１ｂに収容且つ支持されている。
【００５１】
回動進退部材５ａ、５ｂは、本体５０ａ、５０ｂと、移動軸受け５１ａ、５１ｂと、係止部５２ａ、５２ｂとを有しており、本実施形態において、移動軸受け５１ａ、５１ｂをフレーム２の長手方向に略沿って配置する回転可能位置ｙ１と、移動軸受け５１ａ、５１ｂを長手方向に略直交させて配置した進退可能位置ｙ２とを取り得るものである。本体５０ａ、５０ｂは、本実施形態において、一端側が支持体３に対して回動可能に支持されているが、回動進退部材５ａ、５ｂ自体の動作態様は回動動作に限られることはなく進退動作やスライド動作等、種々の動作態様を適用することができる。移動軸受け５１ａ、５１ｂは、フレーム２の回動軸２０１ａ、２０１ｂを収容する長穴である。係止部は、後述する突出棒６ａ、６ｂとそれぞれ係り合うことにより、回動進退部材５ａ、５ｂ自体を回動可能位置ｙ１に位置決めするためのものである。
【００５２】
駆動機構Ｒは、図示しないが例えば上記実施形態と同様の機構を採用することによって、フレーム２の平面視中央部を付勢してフレーム２を進退動作させ得るものである。また閉止状態（Ｃ）においてはフレーム２の後方を位置決めする作用を奏している。なおフレーム２を進退動作させる前記構造として、上記実施形態と同様の油圧シリンダ４１及びガススプリング４２による構造を採用しても良いが、その他、例えばモータ等による電気的な進退構造等、種々の機構を採用することが可能である。
【００５３】
動作切換手段Ｘは、駆動機構Ｒの両側から突出させた２本の突出棒６ａ、６ｂと、回動進退部材５ａ、５ｂに取り付けた係止部５２ａ、５２ｂとによって構成されている。このものは、所定の操作によって、回動進退部材５ａ、５ｂの係止部５２ａ、５２ｂに突出棒６ａ、６ｂを係り合わせることにより回転可能位置ｙ１とするとともに、突出棒６ａ、６ｂと係止部５２ａ、５２ｂとの係り合いを解除して、回動進退部材５ａ、５ｂ自体を進退可能位置ｙ２へ向けて回動可能な状態とし得るものである。図１３に示す閉止状態（Ｃ）においては一端部２ａ及び他端部２ｂの両方の回動進退部材５ａ、５ｂを回転可能位置ｙ１とすることによって、フレーム２が前方へ移動し得ない状態を構成している。また当該閉止状態（Ｃ）において、駆動機構Ｒによってフレーム２の後方が位置決めされているため、フレーム２の両方の回動軸２０１ａ、２０１ｂは移動軸受け５１ａ、５１ｂの基端部５１ａ１、５１ｂ１それぞれに位置決めされた状態となっている。また、図示しない安全装置を具備することによって、２本の突出棒６ａ、６ｂの両方が同時に係止部５２ａ、５２ｂとの係り合いを解除された状態をなし得ないように設定されている。
【００５４】
そして、図１４に示すように、動作切換手段Ｘを操作しフレーム２の他端部２ｂを進退動作させる、すなわち他端部開放状態（Ｘ１）をとった際には他端部２ｂ側の突出棒６ｂを移動させて突出棒６ｂと係止部５２ｂとの係り合いを解除するとともに、駆動機構Ｒによってフレーム２の中央部を付勢する。そのとき、係止部５２ｂの係り合いが解除された回動進退部材５ｂは、駆動機構Ｒの付勢によるフレーム２の回動軸２０１ｂの移動に従って、進退可能位置ｙ２へと回動し、回動軸２０１ｂが移動軸受け５１ｂの終端部５１ｂ２に到達するまで進退動作する。一方、一端部２ａにある回動進退部材５ａは突出棒６ａと係止部５２ａとの係り合いが保たれた状態となっているため、フレーム２の回動軸２０１ａが移動軸受け５１ａの基端部５１ａ１において移動せず他端部２ｂの進退動作に応じた回動動作を行うこととなる。なお同図において透明板１をフレーム２に対してスライドさせた状態を図示している。
【００５５】
すなわち同１４に示す他端部開放状態（Ｘ１）をとった場合、他端部２ｂに配置した回動進退部材５ｂがフレーム２の他端部２ｂを進退動作させる進退支持機構Ｑとして機能し、一端部２ａに配置した回動進退部材５ａがフレーム２の一端部２ａを回動動作させる回動支持機構Ｐとして機能している。
【００５６】
そして図１５に示すように、フレーム２の一端部２ａを進退動作させる、すなわち一端部開放状態（Ｘ２）をとった際には、閉止状態（Ｃ）から一端部２ａ側の突出棒６ａを移動させて、駆動機構Ｒによってフレーム２の中央部を付勢すれば、図１４に対して左右対称の動作をなすこととなる。このときは、一端部２ａに配置した回動進退部材５ａがフレーム２の一端部２ａを進退動作させる進退支持機構Ｑとして機能し、他端部２ｂに配置した回動進退部材５ｂがフレーム２の他端部２ｂを回動動作させる回動支持機構Ｐとして機能することとなる。なお同図において透明板１をフレーム２に対してスライドさせた状態を図示している。
【００５７】
以上のように、本発明の第二実施形態に係る展示ケースの開閉構造Ｚ２では、フレーム２の一端部２ａ及び他端部２ｂを選択し、どちら側にでも透明板１を移動させ得る構成とすることができるので、展示ケースＢの中の配置や展示ケースＢの周りの状況に応じて透明板１の移動方向を選択し、好適に展示ケースＢ内の配置変更等の作業を行うことが可能となる。
【００５８】
また、駆動機構Ｒを平面視他箇所に設けた場合においても平面視中央部を付勢する構成とすることにより、フレーム２の一端部２ａ及び他端部２ｂのどちらに対しても同様の負荷を掛けて好適に進退動作させることができる。
【００５９】
その他、各部の具体的構成についても上記実施形態に限られるものではなく、本発明の趣旨を逸脱しない範囲で種々変形が可能である。
【図面の簡単な説明】
【００６０】
【図１】本発明の一実施形態に係る展示ケースを示す平面図。
【図２】同展示ケースの開閉動作を示す説明図。
【図３】図２に係るＩ−Ｉ線断面図。
【図４】同実施形態に係る要部を模式的に示す図。
【図５】同実施形態に係る構成説明図。
【図６】進退支持機構を示す側面図。
【図７】進退支持機構を示す動作説明図。
【図８】図５に対応した動作説明図。
【図９】同上。
【図１０】同上。
【図１１】同実施形態の変形例に係る説明図。
【図１２】同実施形態の他の変形例に係る説明図。
【図１３】本発明の第二実施形態に係る展示ケースの要部を示す平面図。
【図１４】同実施形態に係る動作説明図。
【図１５】同上。
【符号の説明】
【００６１】
１…透明板
１ａ…透明板の上端縁（上端縁）
１ｂ…透明板の下端縁（下端縁）
１１…枠体
１１ｒ…レール
２…フレーム
２ａ…フレームの一端部（一端部）
２ｂ…フレームの他端部（他端部）
２１…軸受け
２０１ａ、２０１ｂ…回動軸
２３…レール支持部
３…支持体
３ａ１…遊動支持部
３ａ２…脱落防止部
３１…回動軸
５ａ、５ｂ…回動進退部材
Ａ、Ａ１…展示ケース
Ｃ…閉止状態
Ｈ…蝶番
Ｏ…開閉可能状態
Ｐ…回動支持機構
Ｑ…進退支持機構
Ｒ、Ｒ２…駆動機構
Ｓ…展示スペース
Ｖ…自己保持機能
Ｘ…動作切換手段
Ｘ１…他端部開放状態
Ｘ２…一端部開放状態
ｙ１…回動可能位置
ｙ２…進退可能位置
Ｚ、Ｚ２…開閉構造
【図１】
2007138489.tif 000003
【図２】
2007138489.tif 000004
【図３】
2007138489.tif 000005
【図４】
2007138489.tif 000006
【図５】
2007138489.tif 000007
【図６】
2007138489.tif 000008
【図７】
2007138489.tif 000009
【図８】
2007138489.tif 000010
【図９】
2007138489.tif 000011
【図１０】
2007138489.tif 000012
【図１１】
2007138489.tif 000013
【図１２】
2007138489.tif 000014
【図１３】
2007138489.tif 000015
【図１４】
2007138489.tif 000016
【図１５】
2007138489.tif 000017